(57)【要約】【課題】  建物内部の隅仕舞をおこなう巾木、回り縁等の隅仕舞部材の切断が容易で、入隅または出隅において美観良く且つ良好に設置することのできる建築用コーナー仕舞部材及びその施工構造を提供すること。【解決手段】  建物内の入隅または出隅において２方向から交差する向きに配設される巾木、回り縁等の各隅仕舞部材の端面がそれぞれ当接する当接面２１、２１をもったコーナー片２と、該当接面２１、２１より直角方向にそれぞれ延設された、前記隅仕舞部材背面の壁面材と略同一厚みの固定片３、３とを有する。【選択図】図１
2006037368.tif 000002
【特許請求の範囲】
【請求項１】
建物内の入隅または出隅において２方向から交差する向きに配設される巾木、回り縁等の各隅仕舞部材の端面がそれぞれ当接する当接面をもったコーナー片と、該当接面より直角方向にそれぞれ延設された、前記隅仕舞部材背面の壁面材と略同一厚みの固定片とを有して成る建築用コーナー仕舞部材。
【請求項２】
前記隅仕舞部材を巾木とし、前記当接面の一方から他方に亘る表面が一面となるようコーナー片が形成されて出隅に配設されるものとした請求項１記載の建築用コーナー仕舞部材。
【請求項３】
請求項１または請求項２の何れかに記載の建築用コーナー仕舞部材の、コーナー片の表面位置よりその表面位置が低くなるよう段差をもって隅仕舞部材を取り付けて成る建築用コーナー仕舞部材の施工構造。
【発明の詳細な説明】
【技術分野】
【０００１】
本発明は、巾木、回り縁等の建物内部の隅仕舞をおこなう隅仕舞部材を、入隅または出隅において美観良く設置させる建築用コーナー仕舞部材及びその施工構造に関する。
【背景技術】
【０００２】
従来より、建物内部の壁面と天井面あるいは床面との接合部を化粧し、保護する、隅仕舞をおこなう隅仕舞部材である例えば巾木にあっては、図６に示すように、出隅において２方向から交差する巾木１００、１００それぞれの端面を留め加工して、きれいに納めて設置することが重要な施工の要素の一つとなっている。
【０００３】
この目的のために、通常この種の納めを行うにあたり、まず、巾木１００、１００の端部１００ａ、１００ａを専用の加工治具を用いて４５度に切断し、次いで、２方向の巾木１００、１００端面を付き合わせて互いに直角となるように合わせるという、留め加工が採用されている。
【０００４】
しかしながら、この工法による場合、端部を正確に４５度に切断したり、長さ方向の正確な切断寸法精度が要求されたりする。すなわち、これらの巾木１００の切断精度が悪い場合、合わせ面がずれて設置されやすく、危険な鋭角部４５度端面が出っ張ったりすることが想定される。したがって、巾木１００の出隅、入隅の施工のような、建物のコーナー仕舞の施工は熟練を要する作業となり、改善が要望されている。
【０００５】
そこで、例えば実開平６−１５９２号公報には巾木コーナー部材が開示されており、また、特開２０００−２６５６５７号公報には、出隅巾木のコーナーのみの補修が可能な巾木構造として、直角方向に交差する出隅巾木のコーナーを間引きして、その間引き部分に、前記巾木と同高の横断面Ｌ型のコーナー処理巾木を嵌着させて成る室内巾木構造の技術が開示されている。
【０００６】
これらの技術は、巾木を直角に切断するようにしているので、巾木の切断作業が容易であるとともに、巾木コーナー部材やコーナー処理巾木を使用する点において、４５度端面がずれて鋭角がはみ出さないこととなって一応の効果を奏している。
【０００７】
しかしながら、これらの施工方法による場合、接着剤にて巾木コーナー部材やコーナー処理巾木を接着するようにしている。したがって、接着剤がはみ出して仕上がりが汚くなることや、接着が不充分な場合においては、巾木コーナー部材やコーナー処理巾木が剥がれる不具合の生ずることが懸念される。
【特許文献１】実開平６−１５９２号公報
【特許文献２】特開２０００−２６５６５７号公報
【発明の開示】
【発明が解決しようとする課題】
【０００８】
本願発明は、上記背景技術に鑑みてなされたものであり、その課題は、建物内部の隅仕舞をおこなう巾木、回り縁等の隅仕舞部材の切断が容易で、入隅または出隅において美観良く且つ良好に設置することのできる建築用コーナー仕舞部材及びその施工構造を提供することを目的とするものである。
【課題を解決するための手段】
【０００９】
上記課題を解決するために、本願発明による建築用コーナー仕舞部材は、建物内の入隅または出隅において２方向から交差する向きに配設される巾木、回り縁等の各隅仕舞部材の端面がそれぞれ当接する当接面をもったコーナー片と、該当接面より直角方向にそれぞれ延設された、前記隅仕舞部材背面の壁面材と略同一厚みの固定片とを有して成るものとしている。
【００１０】
そして、前記隅仕舞部材を巾木とし、前記当接面の一方から他方に亘る表面が一面となるようコーナー片が形成されて出隅に配設されるものとしたのが好ましい。
【００１１】
また、本願発明による建築用コーナー仕舞部材の施工構造は、上記の建築用コーナー仕舞部材の、コーナー片の表面位置よりその表面位置が低くなるよう段差をもって隅仕舞部材を取り付けて成ることとしている。
【発明の効果】
【００１２】
本願発明の建築用コーナー仕舞部材によると、巾木、回り縁等の隅仕舞部材が、それらの配設される背面壁面材と略同一厚みの固定片を介して建物内の入隅または出隅に建築用コーナー仕舞部材が固定され、２方向から交差する向きに配設された該仕舞部材の端面がコーナー片の各当接面に当接させて設置されるようになるので、建物内部の隅仕舞をおこなう巾木、回り縁等の隅仕舞部材の切断が容易で、入隅または出隅において美観良く且つ良好となる。固定片が壁材と略同一の厚みを有するものであるので、柱等の建物躯体側に釘等の固定具を介して強固に固着できるという効果を奏する。
【００１３】
そして、前記隅仕舞部材を巾木とし、前記当接面の一方から他方に亘る表面が一面となるようコーナー片が形成されて出隅に配設されるものとした建築用コーナー仕舞部材にあっては、コーナー片の角が無いものとなり破損し難い。
【００１４】
また、本発明の建築用コーナー仕舞部材の施工構造によると、建築用コーナー仕舞部材のコーナー片の表面位置よりその表面位置が低くなるよう段差をもって隅仕舞部材を取り付けるようにした結果として、隅仕舞部材切断部が見えないので美観に優れて仕上がるという効果を奏する。
【発明を実施するための最良の形態】
【００１５】
以下、本発明の実施の形態を図１〜図４に基づいて説明する。
【００１６】
図１を参照すると、本発明の建築用コーナー仕舞部材の斜視図が示され、図２は、同建築用コーナー仕舞部材が柱に配設された状態の斜視図が示されている。図３は、同建築用コーナー仕舞部材と、壁面材及び巾木を納める状態の斜視図を示し、図４は図３の施工構造による最終納まり状態を示す断面図である。
【００１７】
この実施形態の建築用コーナー仕舞部材１は、図１に示すように、隅仕舞部材に相当する巾木の設置に際して出隅のコーナーを納めるものであり、２方向から交差する向きに配設される巾木４（図示せず）の端面がそれぞれ当接する当接面２１、２１をもったコーナー片２と、該当接面２１、２１より直角方向にそれぞれ延設された、前記巾木４背面の壁面材５と略同一厚みの固定片３、３とを有して成る。また、前記当接面２１、２１の一方から他方に亘る表面２ａが一面となるようコーナー片２が形成されて出隅に配設されるものとしてもいる。
【００１８】
詳しくは、建築用コーナー仕舞部材１は、合成樹脂、木質成形材などにより射出成形、あるいは圧縮成形にて一体形成された成形体で、この場合、直角に切断された巾木４の端面を当接させる当接面２１、２１の一方から他方に亘るコーナー片２の表面２ａを、所定半径寸法のＲ状としている。なお、このコーナー片２はＲ状以外に、僅かな面取り部を角にもった直角状や、大きな面取り部を有して当接面２１、２１の一方から他方に亘る表面２ａが三面となる形状としても良い。
【００１９】
固定片３、３は、内装下地材となる壁面材５と略同一となる約１２ｍｍ程度の厚みを有して、上記コーナー片２から直角方向に所定長さをもってそれぞれ延設される。
【００２０】
次に、以上説明した建築用コーナー仕舞部材１による、本発明の建築用コーナー仕舞部材の施工構造の実施形態を説明する。この施工構造は、コーナー片２の表面２ａ位置よりその表面位置が低くなるよう段差Ｄをもって隅仕舞部材となる巾木４を取り付けて成る。（図４参照）
具体的には、まず図２に示すように、建築用コーナー仕舞部材１の固定片３を柱６に直接固定させる。次いで、図３に示すように、当該柱６に固着される壁面材５の下端部を固定片３、３に対応する所定の大きさだけ、四角状に切り欠いた後、壁面材５を柱６や間柱（図示せず）に釘等の固定具を介して固着させる。このようにして、壁面材５と同じ厚みを持つ固定片３、３を壁面と面一に納めて後、その表面にクロスなどの内装壁紙を帖着させる、さらに巾木４を直角に切断し、コーナー片２の当接面２１、２１と当接させ、設置するのである。
【００２１】
この場合、図４の納まりの水平方向の断面図に示すように、建築用コーナー仕舞部材１のコーナー片２表面より巾木４、４の表面が低くなるよう段差Ｄをもって巾木４を取り付けるようにしてあり、巾木４に多少の切断誤差があってもさほど巾木４の切断部が目立たなくなり、仕上状態におて美観に優れる。また、隅仕舞部材を巾木４とし、当接面２１、２１の一方から他方に亘る表面２ａが一面となるようコーナー片２が形成されて出隅に配設されるものとした、この建築用コーナー仕舞部材１にあっては、コーナー片２の角が無いものとなり実際の使用環境下において、例えば掃除機等が衝突した際においても破損し難いものとなり使い勝手に優れるものとなる。
【００２２】
また、建築用コーナー仕舞部材１は、巾木４、４の配設される背面壁面材５と略同一厚みの固定片３を介して建物内の出隅に強固に固定され、建物内部の隅仕舞をおこなうためその出隅付近において２方向から交差する向きに配設される巾木４、４が、長手方向に直角に切断されて、建築用コーナー仕舞部材１のコーナー片２の各当接面２１、２１に切断端面を当接させて設置されるが、このときにおいて、巾木４を、特殊な治具を使用する事なく、現物合わせで適切な長さをもって、容易に切断することが可能となる。すなわち、施工性を含めた施工品質が向上し、その上、熟練度はさほど必要としないのである。
【００２３】
したがって、以上説明した建築用コーナー仕舞部材１によると、巾木４、回り縁等の隅仕舞部材が、それらの配設される背面壁面材５と略同一厚みの固定片３、３を介して建物内の入隅または出隅に建築用コーナー仕舞部材１が固定され、２方向から交差する向きに配設された該仕舞部材の端面がコーナー片２の各当接面２１、２１に当接させて設置されるようになるので、建物内部の隅仕舞をおこなう巾木４、回り縁等の隅仕舞部材の切断が容易で、入隅または出隅において美観良く且つ良好となる。さらに、出隅部の納まりは、固定片３を直接柱に釘等で固着するため強固に施工でき、接着剤のはみ出しや剥がれ易さを改善することができるという効果を奏する。
【００２４】
そして、前記隅仕舞部材を巾木４、４とし、前記当接面２１、２１の一方から他方に亘る表面２ａが一面となるようコーナー片２が形成されて出隅に配設されるものとした建築用コーナー仕舞部材１にあっては、コーナー片２の角が無いものとなり破損し難い。
【００２５】
また、本発明の建築用コーナー仕舞部材の施工構造によると、建築用コーナー仕舞部材１のコーナー片２の表面位置よりその表面位置が低くなるよう段差Ｄをもって隅仕舞部材の巾木４を取り付けるようにした結果として、隅仕舞部材である当該巾木４の切断部が見えないので美観に優れて仕上がるという効果を奏する。
【００２６】
なお、本発明は、上記各実施例に限定されず、本発明の技術思想の範囲内において、各実施例は適宜変更され得ることは明らかである。すなわち、この技術思想は、図５に示すように、入り隅に設置される建築用コーナー仕舞部材７についても同様に構成することが出来る。また、隅仕舞部材として廻り縁への適用は勿論のこと、固定片３、３には釘等の固定具を固定しやすくさせるためのガイド孔３１、３１を設けたり、釘頭等の固定具頭部が突出するのを防ぐための面取りなどを設けたりする等の工夫を施すことは言うまでもない。
【図面の簡単な説明】
【００２７】
【図１】本願発明の建築用コーナー仕舞部材の一実施形態である、巾木の出隅コーナー仕舞部材を示す斜視図。
【図２】建築用コーナー仕舞部材を柱に配設させた状態の斜視図。
【図３】同建築用コーナー仕舞部材と、壁面材及び巾木を納める状態の斜視図。
【図４】本願発明の建築用コーナー仕舞部材の施工構造を示す最終納まり状態を示す断面図。
【図５】本願発明の建築用コーナー仕舞部材の別実施例である、巾木の入り隅コーナー仕舞部材を示す斜視図。
【図６】従来の建物内部の隅仕舞状態を示す斜視図。
【符号の説明】
【００２８】
１      建築用コーナー仕舞部材
２      コーナー片
２１      当接面
２ａ      表面
３      固定片
４      巾木（隅仕舞部材）
５      壁面材
Ｄ      段差
【図１】
2006037368.tif 000003
【図２】
2006037368.tif 000004
【図３】
2006037368.tif 000005
【図４】
2006037368.tif 000006
【図５】
2006037368.tif 000007
【図６】
2006037368.tif 000008